(57)【要約】【課題】  米出し量を正確にコントロールでき、構造も簡単であり、米の入れ出しも便利である米びつを実現すること目的とする。【解決手段】  下部が漏斗状の米貯蔵容器（４）と、モーター（１５）と、制御回路と電気的に接続してある制御パネル（２）とを有する。上部にホッパ（１０）付けの米貯蔵器（４）は厨房家具のフェースプレート（３）の下に固定される。搬送パイプ（１）と管内隙間に据付けた搬送スクリュー（５）からなる搬送機構を有する。搬送パイプ（１）末端の入り口（１２４）が米貯蔵器（４）の漏斗状底部へ連通してある。搬送パイプ（１）は厨房家具のフェースプレート（３）より高く、この最上部には、米出しパイプ（８）が斜めに接続してある。
2005535416.tif 000002
【特許請求の範囲】
【請求項１】
下部が漏斗状の米貯蔵容器（４）と、モーター（１５）と、制御回路と電気的に接続してある制御パネル（２）とを有し、
該米貯蔵容器（４）は、上部にホッパ（１０）が付いており、厨房家具のフェースプレート（３）の下に固定される構成であり、
該米貯蔵容器（４）は、搬送パイプ（１）と管内隙間に据付けた搬送スクリュー（５）とからなる搬送機構を有し、
該搬送パイプ（１）は、その末端の入り口（１２４）が米貯蔵容器（４）の漏斗状底部に連通してあり、
該搬送パイプ（１）の厨房家具のフェースプレート（３）より高い最上部に、米出しパイプ（８）が連通されて斜めに設置してある構成としたことを特徴とする電動米上出し型デジタル計量米びつ。
【請求項２】
請求項１に記載の電動米上出し型デジタル計量米びつにおいて、
該搬送パイプ（１）は、突合せた上搬送パイプ（１１）と下搬送パイプ（１２）からなり、
該下搬送パイプ（１２）の上端は米貯蔵容器（４）の上部の搬送パイプ入り口（４１）に溶接してあり、
該上搬送パイプ（１１）はその下端に締付溝（１１１）を有し、
該下搬送パイプ（１２）はその管壁の所定深さの部位にバネベース（１２１）を有し、該バネベース（１２１）内にバネ（１２２）と鋼球（１２３）とが設けてあり、
該上搬送パイプ（１１）の該締付溝（１１１）がバネベース（１２１）にまで挿入している構成としたことを特徴とする電動米上出し型デジタル計量米びつ。
【請求項３】
請求項１又は請求項２に記載の電動米上出し型デジタル計量米びつにおいて、
前記ホッパ（１０）は、米貯蔵容器（４）上部より高くて厨房家具のフェースプレート（３）を突き通っており、その露出した入り口の外回りにはねじ山があり、米びつカバー（９）が該ねじ山と噛み合って締め付けてある構成としたことを特徴とする電動米上出し型デジタル計量米びつ。
【請求項４】
請求項１又は請求項２に記載の電動米上出し型デジタル計量米びつにおいて、
前記制御パネル（２）は、厨房家具のフェースプレート（３）の上側に据え付けてある構成としたことを特徴とする電動米上出し型デジタル計量米びつ。
【請求項５】
請求項３に記載の電動米上出し型デジタル計量米びつにおいて、
前記制御パネル（２）は、厨房家具のフェースプレート（３）の上側に据え付けてある構成としたことを特徴とする電動米上出し型デジタル計量米びつ。
【発明の詳細な説明】
【技術分野】
【０００１】
本発明は厨房容器に係り、特に、電動米上出し型デジタル計量米びつに関する。
【背景技術】
【０００２】
国民生活レベル向上と家屋内装ブームにつれて、厨房は昔からの台所だけでなく、更に家庭内の情趣とファッションを具現させるようになった。各種の厨房用品を厨房内装によく使われる全体厨房に融合させ、厨房を更に見た目よく便利させることは，人々の狙いになっている。
【０００３】
従来例の一つである公告号ＣＮ２３００６１４Ｙである中国の特許「多効能電子式米貯蔵機」は、外殻、定量制御回路ボード、オゾン滅菌機、漏斗、電動米出し機構、電池ケース、活動米貯蔵ボックス、米出し誤作動自動止めなどの装置からなっている。その長所は操作便利、安全、正確、衛生、低騒音である。
【発明の詳細な説明】
【０００４】
この多効能電子式米びつは、以下の問題点を有する。
【０００５】
１）米貯蔵ボックスは設備の下部に設置されたので、米を取り出すために身体をかがめなければならないから、操作には不便である。２）米出し機構はウォーム及び数本のロッドなどの部品からなっているので、構造が煩雑である。３）設備体積が大きいので、厨房家具との融合、内蔵できない。
【０００６】
そこで、本発明は、既存技術の問題点を解決し、操作が簡単であり、構造が簡単であり、米出し量が正確であり、厨房家具との連結性が良く、設置スペース効率が良い電動米上出し型デジタル計量米びつを提供することを目的とする。
【０００７】
本発明は、電動米上出し型デジタル計量米びつであって、下部に漏斗状の米貯蔵容器と、モーターと、制御回路に電気的に接続された制御パネルとを含んでいる。上部にホッパ付けの米貯蔵器は厨房家具のフェースプレートの下に固定できる、それは搬送パイプと管内隙間に据付けた搬送スクリューからなる搬送機構である。搬送パイプ末端の入り口が米貯蔵容器の漏斗状底部に連通して接続してある。搬送パイプが厨房家具のフェースプレートより高い最上部に米出しパイプを斜めに設置している。搬送パイプは突合せた上搬送パイプと下搬送パイプからなる。下搬送パイプの上端は米貯蔵容器上部の搬送パイプ入り口に溶接してある。上搬送パイプは下端に締付溝が形成してあり、下搬送パイプの管壁にある所定深さに位置するバネベースに挿入してある。このバネベースにバネと鋼球が設けてある。ホッパは米貯蔵容器上部より高くて厨房家具のフェースプレートを突き通っている。その露出した入り口の外回りにはねじ山があり、ここに蓋が締め付けてある。制御パネルは厨房家具のフェースプレートの上に取り付けてある。
【０００８】
本発明によれば、搬送機構と制御機構によって米出し量を正確にコントロールでき、構造も簡単である。また、米出し口、ホッパ、制御パネルは厨房家具のフェースプレートの上に配置され、且つ、米出し口は自由に水平方向に回転されるため、米の入れ出し作業は便利である。米貯蔵容器は厨房家具のフェースプレートに下に配置されるため、更なる厨房スペースが有効に利用出来る。特に、例えば、L型厨房家具のコナー等の死角も更に有効利用できる。
【発明を実施するための最良の形態】
【０００９】
次に本発明の実施の形態について説明する。
［実施例１］
【００１０】
図１及び図２に示すように、米貯蔵容器（４）は底部が漏斗状である空洞の円柱形であり、反対側の上部に上端カバー（４０）を有する。カバー（４０）は、搬送パイプ用穴（４１）とホッパ（１０）とを有する。搬送パイプ（１）は穴（４１）に垂直に挿入してある。制御パネル（２）は上部カバー（４０）の上方にあって、ホッパ（１０）及び搬送パイプ（１）と連結する大きい丸穴（２２）と小さい丸穴（２１）がある。上部カバー（４０）の上にあるホッパ（１０）の穴に沿って外ねじ山があって、制御パネル（２）の大きい丸穴（２２）を上方に貫通しており、ここに、内ねじ山が形成してある米びつカバー（９）が連結されて締め付けられるようになっている。搬送パイプ（１）は、その上方については、制御パネル（２）の小さい丸穴（２１）を貫通して、その上端に斜めに設置された米出しパイプ（８）と連通接続してある。また、搬送パイプ（１）は、その下方については、米貯蔵容器（４）の漏斗状底部を貫通して溶接してある。搬送パイプ（１）の底側の入り口（１２４）が曲管（４３）を通って米貯蔵容器（４）の漏斗状底部の中心に連通接続してある、これにより、米貯蔵容器（４）の中の米は、重力作用によって漏斗状底部を沿って、更に曲管（４３）を通って搬送パイプ（１）の底へ流れ入る。搬送スクリュー（５）は搬送パイプ（１）の中に設置してあり、その管壁との間に隙間を空けて自由回転できる。搬送スクリュー（５）の下端の中心軸が止めピン（５１）及びカップリング（６）によってモーター（１５）のパワー出力軸と硬く同軸に連結してある。なお、図３に示すように、据付のために、上端カバー（４０）の円周に固定耳（４２）が四枚設けてある。
【００１１】
図４に示すように、制御パネル（２）には、大小丸穴（２１，２２）の他に、LEDデジタルディスプレイ（２４）、定量設定スイッチ（２５）、米出し起動スイッチ（２３）が設けてある。
【００１２】
図５に示すように、搬送パイプ（１）は、挿入されて連結してある上搬送パイプ（１１）と下搬送パイプ（１２）からなっている。上搬送パイプ（１１）の外径と下搬送パイプ（１２）の内径とが同じである。下搬送パイプ（１２）の上端壁に二つのバネベース（１２１）が下搬送パイプ（１２）の軸線に関して対称に設けてある。このバネベース（１２１）の中に、バネ（１２２）と鋼球（１２３）とが組み込んである。上搬送パイプ（１１）には、下端壁の外周に一周に亘って締付溝（１１１）が形成してある。上搬送パイプ（１１）を下搬送パイプ（１２）内へ所定の深さまで挿入すると、鋼球（１２３）がバネ（１２２）の弾力でもって締付溝（１１１）に嵌合した状態となる。これにより、上搬送パイプ（１１）は、軸線方向（縦方向）には固定され、且つ、軸線を中心に水平方向に自由回転可能である。
【００１３】
本発明の電動米上出し型デジタル計量式米びつは、厨房家具フェースプレート（３）と一体になる構造である。図１及び図２に示すように、据付の際に米貯蔵容器（４）は厨房家具フェースプレート（３）の下に設置され、上端カバー（４０）の円周にある四枚の固定耳（４２）をねじで厨房家具フェースプレート（３）に固定される。厨房家具フェースプレート（３）に据付穴が二つある。一つの据付穴は上端カバー（４０）の搬送パイプ用穴（４１）と制御パネル（２）の小さい丸穴（２１）の間に位置して、据付けるときに搬送パイプ（１）に貫通される。もう一つの据付穴は上端カバー（４０）のホッパ（１０）と制御パネル（２）の大きい丸穴（２２）の間に位置して、据付けるときにホッパ（１０）の穴外周に貫通される。制御パネル（２）は厨房家具フェースプレート（３）の上側にぴったり付いて取り付けられる。
【００１４】
図７は本発明の電動米上出し及びデジタル計量の回路原理略図を示す。制御機構の主要部はマイクロプロセッサ（１６）であり、マイクロプロセッサ（１６）に定量設定スイッチ（２５）、米出し起動スイッチ（２３）、LEDデジタルディスプレイ（２４）が接続してある。制御機構において、モーター（１５）に対するスイッチ制御は、リレー（１８）によって行われる。LEDデジタルディスプレイ（２４）はデジタル計量表示装置である。モーター（１５）には２２０V商用交流電源が供給され、制御ユニットには変圧整流器（１７）で処理された低圧直流電源が供給される。定量設定スイッチ（２５）、米出し起動スイッチ（２３）、LEDデジタルディスプレイ（２４）は制御パネル（２）に取り付けてある。マイクロプロセッサ（１６）、リレー（１８）、変圧整流器（１７）は回路制御箱（１９）内に設けてある。
【００１５】
使用時には、先ず、定量設定スイッチ（２５）を押して、上下ボタンで米出し量を設定する。数字の１は“１市両”（５０グラム）を表す。押す毎に“１市両”増えるか減り、LEDデジタルディスプレイ（２４）に数字が表示される。米出し量設定を完了した後に、米出し起動スイッチ（２３）を押してモーター（１５）を作動させる。モーター（１５）によってカップリング（６）を介して搬送スクリュー（５）を回転させる。搬送スクリュー（５）が回転すると、米びつ内にある米が重力の作用によって米貯蔵容器（４）底部の曲管（４３）を通して搬送パイプ（１）の底の入り口（１２４）に入り、搬送スクリュー（５）によって搬送パイプ（１）を沿って上へ移動される。搬送パイプ（１）の出口に到達した米は、重力作用によって米出しパイプ（８）内を滑って移動して、外に出る。マイクロプロセッサ（１６）はモーター（１５）起動から時間を計測し始める。計測した時間が相応な米出し量の設定数値に一致すると、マイクロプロセッサ（１６）がリレー（１８）を作動させてモーター（１５）への電源の供給を遮断する。これによりモーター（１５）が停止し搬送スクリュー（５）が回転停止して、米出しが終了する。回転速度が一定である搬送スクリューによる米搬送量は回転時間に正比例するので、モーター（１５）の回転時間だけを制御することによって、米出し量が正確に制御される。
【００１６】
米貯蔵容器（４）に米を入れる場合には、厨房家具フェースプレートにある米びつカバー（９）を緩めて外して、米をホッパ（１０）を通して入れればよい。停電時もホッパ（１０）から手作業で米を取り出せる。
［実施例２］
【００１７】
本実施例２は、米出し量制御が実施例１とは少し相違し、他の部分は実施例１と同じである。図６及び図８を参照するに、搬送スクリュー（５）の下端の中心軸に同軸回転する計数輪（１４）が取り付けてある。この計数輪（１４）の近傍に、マイクロプロセッサ（１６）と接続してある近接スイッチ（７）が取り付けてある。計数輪（１４）は非導電性材料製であり、外周にはねじ（２０）がねじ込んであり、このねじ（２０）が近接スイッチ（７）のセンサーとなる。作動時、搬送スクリュー（５）が計数輪（１４）と同軸回転する。計数輪（１４）が一周回転する毎に近接スイッチ（７）がマイクロプロセッサ（１６）へパルス信号を送信する。パルス信号が累積して相応な米出し量の設定数値に一致すると、マイクロプロセッサ（１６）がリレー（１８）を作動させてモーター（１５）への電源を遮断する。これにより、搬送スクリュー（５）が回転停止して米出しも終了する。搬送スクリュー（５）による搬送量はその回転数に正比例するので、その回転数だけを制御することにより、米出し量が正確に制御される。
【００１８】
上記の実施例１，２は当分野の技術者が本発明を使用、利用できるように記載してある。それらの実施例の修正は技術者にとって難しくなく、上述した原理をほかの実用に応用しても余計な創造力は要らない。それで、当発明はここに示した実例に拘わらず、掲示された原理と新特徴の最大範囲に合うべきである。
【図面の簡単な説明】
【００１９】
【図１】本発明の実施例１になる電動米上出し型デジタル計量米びつを一部断面して示す斜視図である。
【図２】図１の米貯蔵容器の正面図である。
【図３】図１の米貯蔵容器の平面図である。
【図４】図１の制御パネルの平面図である。
【図５】本発明の搬送パイプ部をその一部を断面して示す正面図である。
【図６】本発明の実施例２の１になる搬送パイプ部の一部の構造を示す図である。
【図７】本発明の実施例１になる電動米上出し型デジタル計量米びつのブロック回路図である。
【図８】本発明の実施例２になる電動米上出し型デジタル計量米びつのブロック回路図である。
【図１】
2005535416.tif 000003
【図２】
2005535416.tif 000004
【図３】
2005535416.tif 000005
【図４】
2005535416.tif 000006
【図５】
2005535416.tif 000007
【図６】
2005535416.tif 000008
【図７】
2005535416.tif 000009
【図８】
2005535416.tif 000010
【国際調査報告】
2005535416.tif 000011
2005535416.tif 000012
2005535416.tif 000013
2005535416.tif 000014
2005535416.tif 000015
2005535416.tif 000016